(57)【特許請求の範囲】
【請求項１】
調査対象地域の地図の記載部分の全体に格子を付すと共に、当該格子の各行、各列に識別情報を付した地図調査用紙を調査員に配布し、
調査によって前記地図上に情報を更新すべき場所を見つけた場合に、調査員が、前記格子の各行、各列の識別情報と、予め決められる新規、変更、削除を意味する識別情報と、更新内容とを対応付けられるようにして、前記地図調査用紙に対して更新情報を記入し、
調査終了後、前記地図調査用紙に記入された更新情報を、ＯＣＲ（Optical Character Reader）を用いて読み取って所定の記録媒体に保存する
ことを特徴とする地図調査更新登録方法。
【請求項２】
請求項１に記載の地図調査更新登録方法であって、
調査終了後、前記地図調査用紙を読み取って電子化データとして所定の記録媒体に保存し、
前記地図調査用紙の電子化データによる画像と、保存した前記更新情報とを表示装置に表示して、前記更新情報の修正入力を受け付けて修正する
ことを特徴とする地図調査更新登録方法。
【請求項３】
請求項１または請求項２のいずれかに記載の地図調査更新登録方法であって、
前記地図調査用紙において、前記地図部分は磁気インクを用いて記載することを特徴とする地図調査更新登録方法。
【請求項４】
請求項１に記載の地図調査更新登録方法であって、
前記地図調査用紙において、前記格子は磁気インクを用いて記載することを特徴とする地図調査更新登録方法。
【発明の詳細な説明】
【技術分野】
【０００１】
この発明は、例えば、住宅地図調査において、調査内容をできるだけ人の手を煩わせることなく電子化して把握できるようにする方法、プログラムに関する。
【背景技術】
【０００２】
詳細で正確な住宅地図が提供されるようになり、様々なところで活用されている。例えば、都市計画や防災、防犯対策、自治会活動の計画立案などのための資料として用いられている他、宅配便業者など、種々の企業等においても用いられている。そして、住宅地図を作成する場合の調査負荷軽減のため、例えば、後に記す特許文献１には、日常生活において頻繁に利用する地図情報の構成要素を、簡単に調査するための装置に関する発明が開示されている。特許文献１に記載の地図情報調査支援装置を用いることにより、地図情報の構成要素である例えば建造物、道路などについての詳細情報を簡単かつ正確に取得することができる。
【先行技術文献】
【特許文献】
【０００３】
【特許文献１】特開２００４−７７７５１号公報
【発明の概要】
【発明が解決しようとする課題】
【０００４】
そして、住宅地図は、できるだけ最新の情報が反映されていることが好ましく、適切なタイミングで再調査を行って地図情報を更新していくことが重要になる。住宅地図の再調査の場合、上述した特許文献１に記載の地図情報調査支援装置を用いて地図の構成要素の詳細情報を取得する必要性は低く、前回の調査時と異なる部分の情報が得られればよい。このため、住宅地図の再調査では、印刷した前回調査時の地図（前回調査を反映させた直近の地図）に調査結果を手書きで記入したものを原稿とし、これをファクシミリで制作部門に送る。制作部門では、当該原稿の記入事項にしたがって、地図原本を更新する処理を行う。
【０００５】
しかし、制作部門において、当該原稿の記入事項にしたがって、更新情報を入力していく作業は手間がかかる。本来であれば、紙の地図上に更新情報を記載するのではなく、いわゆるタブレット型情報端末（タブレットＰＣ）等に地図を表示させて、その上に調査結果（更新情報）を入力する方法が好ましい。タブレット型情報端末に入力された情報を地図原本の更新にそのまま利用することができ、制作部門での更新情報の入力が必要なくなるからである。ところが、タブレット型情報端末の場合、大きさや重量、バッテリー持続時間等の観点から、地図調査に利用することが難しい場合もある。
【０００６】
以上のことに鑑み、この発明は、印刷した前回調査時の地図に調査結果を手書きで記入する従来の方法を用いながらも、地図調査内容をできるだけ人の手を煩わせることなく電子化して把握できるようにすることを目的とする。
【課題を解決するための手段】
【０００７】
上記課題を解決するため、請求項１に記載の発明の地図調査更新登録方法は、
調査対象地域の地図の記載部分の全体に格子を付すと共に、当該格子の各行、各列に識別情報を付した地図調査用紙を調査員に配布し、
前記地図上に情報を更新すべき場所を見つけた場合に、調査員が、前記格子の各行、各列の識別情報と、予め決められる新規、変更、削除を意味する識別情報と、更新内容とを対応付けられるようにして、前記地図調査用紙に対して更新情報を記入し、
調査終了後、前記地図調査用紙に記入された更新情報を、ＯＣＲ（Optical Character Reader）を用いて読み取って所定の記録媒体に保存する
ことを特徴とする。
【０００８】
この請求項１に記載の発明の地図調査更新登録方法によれば、調査対象地域の地図が記載され、その記載部分の全体に格子が付される共に、その格子の各行、各列に識別情報が付された地図調査用紙が調査員に配布される。調査員は、調査によって当該地図上に情報を更新すべき場所を見つけた場合に、格子の各行、各列の識別情報と、予め決められる新規、変更、削除を意味する識別情報と、更新内容とを対応付けられるようにして、地図調査用紙に対して更新情報を記入する。
【０００９】
そして、調査終了後において、地図調査用紙に手書きで記入された更新情報を、ＯＣＲを用いて読み取って所定の記録媒体に保存する。当該更新情報は、地図調査用紙上の位置座標情報も含むものである。すなわち、手書きの更新情報を電子化された位置座標付きの更新情報として取得できる。
【００１０】
このように、地図の更新情報はＯＣＲを用いて読み取るので、地図調査用紙の記載に基づいてユーザが入力する必要が無い。また、ＯＣＲで読み取りミスが発生しても、修正が可能とされる。これにより、調査内容をできるだけ人の手を煩わせることなく把握して整えることができる。そして、整えた調査内容を用いて地図原本に変更を反映させることができる。
【発明の効果】
【００１１】
この発明によれば、印刷した前回調査時の地図に調査結果を手書きで記入する従来の方法を用いながらも、地図調査内容をできるだけ人の手を煩わせることなく電子化して把握することができる。
【図面の簡単な説明】
【００１２】
【図１】実施の形態の地図調査更新登録方法の概要及び地図調査情報処理装置の構成例を説明するための図である。
【図２】実施の形態の地図調査更新登録方法で用いられる地図調査用紙１の例について説明するための図である。
【図３】実施の形態の地図調査更新登録方法で用いられる地図調査用紙１の一部をなす別調査用紙（地図調査用紙１の別ページ）の例について説明するための図である。
【図４】記録装置に保存された地図調査用紙１の電子化データの例を説明するための図である。
【図５】記録装置に保存された更新情報の例を説明するための図である。
【図６】実施の形態の地図調査更新登録方法の全体の流れを説明するためのフローチャートである。
【図７】磁気インクを用いた地図調査用紙１の他の例について説明するための図である。
【発明を実施するための形態】
【００１３】
以下、図を参照しながら、この発明の方法、プログラムの一実施の形態について説明する。
【００１４】
［地図調査更新登録方法の概要］
図１は、この発明の方法の一実施の形態が適用された地図調査更新登録方法の概要を説明するための図である。また、図２は、この実施の形態の地図調査更新登録方法で用いられる地図調査用紙１の例を説明するための図であり、図３は、地図調査用紙１の一部をなす別調査用紙（地図調査用紙１の別ページ）の例について説明するための図である。
【００１５】
図１において、地図調査用紙１は、調査対象地域の前回調査時の地図が印刷されたものであり、調査員が現地での地図調査結果を手書きで記入するものである。しかし、この実施の形態で用いられる地図調査用紙１は、単に地図が印刷されたものではない。図２に示すように、地図調査用紙１は、地図の記載部分の全体に格子（グリッド）が付されると共に、当該格子の各行には数字の識別情報（１、２、３、…）が付され、各列にはアルファベットの識別情報（Ａ、Ｂ、Ｃ、…）が付されたものである。これにより、記載された地図を細分化し、当該地図の細分化されたそれぞれのエリア（ブロック）を特定することができるようにしている。
【００１６】
なお、図２に示したように、格子の「行」は地図調査用紙１の縦方向に区切られたそれぞれの部分を、また、格子の「列」は地図調査用紙１の横方向に区切られたそれぞれの部分を意味している。また、当該地図調査用紙には、図２に示したように、この例の場合には上端側の余白部分に、対角の緯度経度情報、縮尺、住所コード、整理番号、調査日付記入欄、調査員コード欄等の必要情報が記載されている。また、地図調査用紙１の４隅には、地図調査用紙の読み取り範囲を示す十字形の四隅マーカが付されている。
【００１７】
また、図２に示した例の場合には、説明を簡単にするため、１０行１０列の格子を設けた場合を示しているがこれに限るものではない。用紙の大きさ、行、列の幅に応じて、行と列が適宜の数となる格子を設けることができる。もちろん、行と列の数が同じになる必要はない。また、２７以上の列を設ける場合には例えば、「ＡＡ、ＢＢ、ＣＣ、…」や「ＡＸ、ＢＸ、ＣＸ、…」などのように、既に用いた識別情報と区別可能な識別情報を用いるようにすればよい。
【００１８】
また、地図調査用紙１の印刷された地図の建物枠に書き切れない情報、例えば、貸しビルの各階のテナント情報等は地図調査用紙１の別ページに記載される。この実施の形態においては、別ページ記載のある地域の地図調査用紙を印刷する場合には別ページ記載用の別調査用紙も同時に印刷する。この別調査用紙は図２に示した地図調査用紙１と一体となるものである。そして、図２に示した地図調査用紙１において建物名「○○ビル」で示した建物は、例えば５階建ての貸しビルである場合に、図３に示すような別調査用紙が作成される。図３に示した別調査用紙には、図２に示した地図調査用紙１において建物名「○○ビル」で示した建物の各階に入居しているテナントに関する情報が記載されている。
【００１９】
この別調査用紙に記載された情報も直近の調査情報に応じたものである。また、図３に示したように、当該別調査用紙にも上端側の余白部分には、対応する地図調査用紙の整理番号、別ページＮｏ．調査日付欄、調査員コード欄が記載されている。当該記載により地図が記載された地図調査用紙との関連付け（紐付け）がなされる。また、当該別調査用紙にも読み取り範囲を示す四隅マーカが記載されている。
【００２０】
そして、図２、図３を用いて説明したように形成される地図調査用紙（別調査用紙も含む）１が作成されて調査員に配布される。調査員は現地調査で地図調査用紙１に記載された情報を更新すべき場所を見つけた場合に、地図調査用紙１に更新情報を手書きで記載していく。この時、当該手書きで記載した情報を、ＯＣＲ（Optical Character Reader）で正確に読み取ることができるように、予め決められたごく簡単な記載方法に準拠して記載する。
【００２１】
例えば、更新の内容が新規か、変更か、削除かを示す所定の識別情報と、更新情報であることを示す例えば「」（かぎ括弧）を付して、具体的な更新情報を記載する。その一例として、図２の地図調査用紙１の右上端部に示したように、新規＝黒星印、変更＝黒四角印、削除＝黒丸印を用いる。ここで、「新規」は、前回調査時の地図には無い建物等ができていた場合に用いる。「変更」は、前回調査時の地図において建物は変わらないが入居者が変わった場合などに用いる。また、「削除」は、前回調査時の地図において存在していた建物等が取り壊され、更地にされた場合などに用いる。
【００２２】
より具体的には、図２に示すように、列が「Ｃ」、行が「５」で示されるブロック（位置）にある建物の表札が、以前は、「山本」であったのに、今回調査してみると「鈴木」になっていたとする。この場合には、まず、列が「Ｃ」、行が「５」で示されるブロックに「変更」を示す「黒四角印」を、スタンプ等を用いて記載（記入）した後、その「黒四角印」に続けて、当該ブロックのブロック番号「Ｃ５」を記載すると共に、新たな表札の記載内容である「鈴木」との文字を記載する。また、地図調査用紙１の該当部分の既存の記載である「山本」との記載を二重線で消去する。これにより、列が「Ｃ」、行が「５」であるブロック（ブロック番号が「Ｃ５」であるブロック）の記載が、「山本」から「鈴木」に変更されたことを明確に示すことができる。
【００２３】
また、図２に示すように、列が「Ｅ」、行が「５」で示されるブロックにある建物が、以前は「山田酒店」という酒屋であったのに、今回調査してみると大手コンビニエンスストアチェーンの店舗である「コンビニ山田」に変わっていたとする。この場合には、地図上に記載すると地図が見難くなるため、更新情報を地図調査用紙１の余白部分に記載する。すなわち、図２において、地図調査用紙１の下側の余白部分に、まず、「変更」を示す「黒四角印」を、スタンプ等を用いて記載（記入）した後、その「黒四角印」に続けて、変更箇所を示す「Ｅ５」とのブロック番号を記載する。これに続けて、変更前の名称「山田酒店」と、変更後の名称「コンビニ山田」とを記載する。これにより、列が「Ｅ」、行が「５」であるブロック（ブロック番号が「Ｅ５」であるブロック）の記載が、「山田酒店」から「コンビニ山田」に変更されたことを明確に示すことができる。
【００２４】
また、図２に示すように、列が「Ｃ」、行が「８」で示されるブロックに建っていた建物が取り壊され、更地にされていたするする。この場合には、列が「Ｃ」、行が「８」で示されるブロックに「削除」を示す「黒丸印」を、スタンプ等を用いて記載（記入）し、これに続けて、削除箇所を示す「Ｃ８」とのブロック番号を記載する。これにより、列が「Ｃ」、行が「８」のブロック（ブロック番号がＣ８のブロック）に建っていた建物は取り壊され、更地にされたことを明確に示すことができる。
【００２５】
また、図２に示すように、列が「Ｉ」で、行が「９」で示されるブロックに新たな建物が建築され、「田中」という表札がかけられていたとする。この場合には、まず、列が「Ｉ」で、行が「９」で示されるブロックに「新規」を示す「黒星印」を、スタンプ等を用いて記載（記入）した後、その「黒星印」に続けて、更新箇所を示す「Ｃ８」とのブロック番号を記載する。さらに、表札の記載内容である「田中」との文字を記載する。これにより、列が「Ｉ」で、行が「９」のブロック（ブロック番号が「Ｉ９」であるブロック）に新しい建物が建築され、そこに「田中」との表札が掲げられていることを明確に示すことができる。なお、追加の場合には、実測地に応じた建物枠も記載する。
【００２６】
また、図２に示した地図において、列が「Ｆ」で、行が「８」のブロックを中心に建っている「○○ビル」の５階のテナントが「○○商事」から「△△産業」に変わっていたとする。このような場合には対象が貸しビルであるため、各階の更新情報を図２に示した地図調査用紙には記載できないのが通常である。このため、貸しビルのテナント等についての更新情報は、図３を用いて説明した地図調査用紙１の一部をなす別調査用紙に記載する。この場合、「建物名」と「ブロック番号」とで図２に示した地図調査用紙の記載とリンクさせる（紐付ける）。
【００２７】
すなわち、図３の下端側に示すように、まず、別調査用紙の空欄部分の更新区分欄に、「変更」を示す「黒四角印」を、スタンプ等を用いて記載（記入）する。そして、更新対処の建物を特定するため、建物名の欄に「○○ビル」と記載し、ブロック番号の欄に「Ｆ８」と記載する。そして、内容の欄に「「５階」「○○商事」「△△産業」」と記載する。これにより、列が「Ｆ」で、行が「８」であるブロック（ブロック番号が「Ｆ８」であるブロック）の「○○ビル」の５階の記載が、「○○商事」から「△△産業」に変更されたことを明確に示すことができる。なお、図３に示した地図調査用紙１の別調査用紙においては、更新情報を記入する欄を別途設け、図３において、更新情報を記載した行において四角形で囲んで示したように、手書き文字枠として一文字枠を設けることにより、ＯＣＲで認識しやすい文字を記入するのに役立つ。
【００２８】
このように、地図記載部分に格子が設けられる共に、当該格子の各ブロックにはブロック番号が付された地図調査用紙１（別調査用紙も含む）を用いて、調査員が現地調査を行う。そして、更新情報の地図調査用紙１の記載は、上述したように、新規、変更、削除を示す識別情報と、「」（かぎ括弧）等を用いて、予め決められた記載方法に準拠して記載する。なお、新規、変更、削除を示す識別情報は、上述した黒星印、黒四角印、黒丸印に限るものではない。他の記号を用いてもよいし、また、新規＝赤、変更＝青、削除＝黄などのように、色彩によって、更新種別を示してもよい。色彩もＯＣＲを用いて認識することができるからである。
【００２９】
そして、現地での地図調査が終了したら、地図調査用紙１を持ち帰り、図１に示したように、スキャナ２及びパーソナルコンピュータ３（パーソナルコンピュータ本体３１、ディスプレイ３２、キーボード３３、マウス３４からなる装置）によって処理する。この実施の形態において、スキャナ２及びパーソナルコンピュータ３が、地図調査情報を処理する地図調査情報処理装置を構成する。
【００３０】
ここで、地図調査情報処理装置について説明する。地図調査用紙１を用いた現地での地図調査終了後においては、スキャナ２を通じて地図調査用紙１に記載された情報を読み取って、パーソナルコンピュータ本体３１の記録装置に格納する。この場合、後述もするが、記録装置に格納する情報は、地図調査用紙１（別調査用紙も含む）の電子化データと、地図調査用紙１に記載され、ＯＣＲによって読み取られた必要情報や更新情報（記号や文字等の情報）である。ここで、必要情報は、図２を用いて説明したように、対角の緯度、経度、縮尺、住所コード、整理番号、調査日付欄に記載された調査日付、調査員コード欄に記載された調査員コード等である。このため、パーソナルコンピュータ本体３１には、スキャナ２を通じて原稿の記載内容を電子化データ（画像データ）として取り込むスキャナソフトと、原稿に記載された文字や記号を読み取るＯＣＲソフトとが搭載されている。
【００３１】
パーソナルコンピュータ本体３１は、図１の下側にその構成例を示したように、制御部３１１、記録装置３１２、入力装置インターフェース３１３、外部Ｉ／Ｆ３１４、表示処理部３１５、ディスプレイＩ／Ｆ３１６を備えたものである。制御部３１１は、パーソナルコンピュータ本体３１の各部を制御するものであり、図示しないがＣＰＵ（Central Processing Unit）、ＲＯＭ（Read Only Memory）、ＲＡＭ（Random Access Memory）がＣＰＵバスを通じて接続されて構成されたコンピュータ装置である。
【００３２】
記録装置３１２は、この実施の形態ではハードディスクドライブ（ＨＤＤ）であり、記録媒体としてハードディスクを備え、種々のアプリケーションプログラムや種々の処理により得られたデータ等のハードディスクへの書込み／記録保持／読み出し／削除を行う。この実施の形態において記録装置３１２には、上述したスキャンソフトやＯＣＲソフトなどの種々のアプリケーションソフトウェアが記録されている。そして、記録装置３１２には、スキャンソフトを用いて読み取られた地図調査用紙１の電子化データや、ＯＣＲソフトが用いられて読み取られた更新情報が記録される。また、この実施の形態においては、記録装置３１２には、地図原本データ等も記録されている。
【００３３】
入力装置Ｉ／Ｆ３１３は、キーボード３３やマウス（ポインティングデバイス）３４等の種々の入力装置との間において情報のやり取りを行う部分である。外部Ｉ／Ｆ３１４は、この例の場合、スキャナ２との間で情報のやり取りを行う部分である。また、ディスプレイＩ／Ｆ３１６は、ディスプレイ３２との間で情報のやり取りを行う部分である。これら入力装置Ｉ／Ｆ３１３、外部Ｉ／Ｆ３１４、ディスプレイＩ／Ｆ３１６においては、出力する情報を相手先に応じたフォーマットに変換したり、相手先から受け付けた情報を自機において処理可能なフォーマットに変換したりする処理も行う。そして、表示処理部３１５は、制御部３１１の制御に応じて、種々の表示情報を形成し、これをディスプレイＩ／Ｆ３１６を通じてディスプレイ３２に供給する処理を行う。
【００３４】
そして、ユーザは、まず、地図調査用紙１をスキャナ２にセットし、キーボード３３を通じて所定の操作入力を行って、パーソナルコンピュータ本体３１の制御部３１１においてスキャンソフトを起動させる。そして、パーソナルコンピュータ本体３１を通じてスキャナ２を制御し、地図調査用紙１の記載内容をスキャナ２で読み取る処理を開始する。この場合、スキャンして得た電子化データに付加する識別情報として、例えば、地図調査用紙１に付された整理番号、調査日付、調査員コードなどの情報を、キーボード３３を通じて入力する。
【００３５】
スキャナ２はパーソナルコンピュータ本体３１の制御に応じてセットされた地図調査用紙１の記載内容を読み取り、読み取った情報をパーソナルコンピュータ本体３１に送る。パーソナルコンピュータ本体３１は、外部Ｉ／Ｆ３１４を通じてスキャナ２からの情報を受け付けて、これに入力された整理番号などの所定の情報を付加し、記録装置３１２の所定の記録領域に記録する。このようにして、地図調査用紙１の電子化データ（スキャンしただけの原稿）が記録装置３１２の所定のエリアに記録される。
【００３６】
図４は、スキャナ２により読み取られ、パーソナルコンピュータ本体３１の記録装置３１２に記録された地図調査用紙１の電子化データの例を説明するための図である。図４に示すように、当該電子化データには、入力された整理番号、調査日付、調査員コードなどからなるヘッダ部と、スキャナ２により読み取られた地図調査用紙１の電子化データの格納部とからなるものである。このような、地図調査用紙１の電子化データを読み出して処理することにより、地図調査用紙１の記載内容をディスプレイ３２に表示したりすることができる。
【００３７】
この後、ユーザは、キーボード３３を通じて所定の操作を行うことにより、パーソナルコンピュータ本体３１の制御部３１１においてＯＣＲソフトを起動させる。ＯＣＲソフトは、スキャナ２を通じて読み取られた画像データを解析し、記載されている文字や記号を読み取って、例えば、テキストデータとして取得するものである。この場合、ユーザは、キーボード３３を通じて処理対象を地図調査用紙１の電子化データとし、ＯＣＲソフトにより地図調査用紙１の電子化データ中に存在する必要情報や手書きされた文字や記号の読み取り処理を開始する。
【００３８】
この実施の形態においては、図２、図３を用いて説明したように、地図調査用紙１や別調査用紙の上部欄外に記載された対角の緯度、経度、縮尺、住所コード、整理番号、調査日付欄の記載、調査員コード欄の記載などの必要情報を読み取る。また、上述したように、更新種別を示す「黒星印」、「黒四角印」、「黒丸印」や「」（かぎ括弧）で括られた手書きの更新内容を読み取る。すなわち、「黒星印」、「黒四角印」、「黒丸印」が付された情報は、更新情報であるので、当該識別情報を認識し、その内容を把握し、その識別情報に続く「」（かぎ括弧）で括られた手書き文字を更新情報として読み取る処理を行う。読み取った情報は、制御部３１１により、更新情報として記録装置３１２の所定の格納領域に記録される。
【００３９】
図５は、ＯＣＲソフトにより、地図調査用紙１の電子化データから読み取られ、記録装置３１２に記録された更新情報の例を説明するための図である。当該更新データには、読み取られた必要情報からなるヘッダ部と、読み取られた手書き部分の詳細情報の格納部とからなるものである。図５に示した例は、図２、図３を用いて説明した地図調査用紙１（別調査用紙を含む）の電子化データをＯＣＲソフトによって文字認識して取得した情報である。このため、図２、図３を用いて説明したように、ブロック番号が「Ｃ５」、「Ｅ５」、「Ｆ８」であるブロックに対する変更情報や、ブロック番号が「Ｃ８」であるブロックに対する削除情報、ブロック番号が「Ｉ９」であるブロックに対する新規（追加）情報が記載されたものになっている。すなわち、地図調査用紙１に手書きで記載された更新情報を電子化された位置座標（ブロック番号）付きの更新情報として取得することができる。
【００４０】
このような、ＯＣＲソフトによって読み取られた更新情報をディスプレイ３２に表示するなどして、地図原本の更新に用いる。なお、この例の場合、「」（かぎ括弧）で括られた名称が２つある場合、前の記載が古い情報で、後の記載が新たな情報である。また、「」（かぎ括弧）で括られた名称が１つある場合には、その情報が新たな情報である。
【００４１】
そして、ＯＣＲソフトによって読み取られた更新情報には誤読（誤認識）された文字が含まれている可能性がある。そこで、ユーザは、キーボード３３を通じて所定の操作を行うことにより、図４に示した地図調査用紙１の電子化データと、これに対応する図５に示した読み取った更新情報とをディスプレイ３２に表示して、更新情報の修正処理を実行する。この場合、制御部３１１は、ユーザからの指示に応じた処理を行うアプリケーションを記録装置３１２から読み出して実行する。
【００４２】
当該アプリケーションは、図４に示した地図調査用紙の電子化データと、例えば整理番号等により紐付けられる図５に示し更新情報とを読み出して、これらをディスプレイ３２の表示画面に表示エリアが異なるようにして表示する。そして、当該アプリケーションは、表示された更新情報に対する修正入力をキーボード３３やマウス３４を通じて受け付けて、当該修正入力を記録装置３１２に記録されている更新情報に反映させる処理を行う。これにより、ＯＣＲソフトによって読み取られた更新情報をより正確なものにすることができる。
【００４３】
なお、ディスプレイ３２に表示された地図調査用紙１の電子化データに応じた画像と読み取った更新情報に応じた画像は、そのそれぞれをスクロールさせ、表示しきれない部分についても表示して確認し、読み取った更新情報の修正を行うことができる。
【００４４】
そして、このようにして整えられた更新情報を用いて、地図原本の更新処理を行うことができる。この場合には、ユーザは、キーボード３３を通じて所定の操作を行うことにより、パーソナルコンピュータ本体３１の制御部３１１が地図原本の更新ソフトを記録装置３１２から読み出して実行する。当該アプリケーションは、記録装置３１２に格納されている地図原本に応じた地図情報と、図５に示し更新情報とを読み出して、これらをディスプレイ３２の表示画面に表示エリアが異なるようにして表示する。この場合、地図原本に応じた地図と図５に示し更新情報とは、例えば、更新情報がヘッダ情報として保持する対角の緯度、経度情報等によって紐付けられる。
【００４５】
そして、表示された地図情報と更新情報とを見比べ、地図情報の更新する部分を特定し、その特定した部分の記載を削除して、更新情報の新たな情報（今回の調査で得られた情報）をコピーする操作を行うなどして、地図原本の情報を更新していく。この場合、地図原本にも地図調査用紙１と同様の格子と当該格子の各行、各列の識別情報とを付して表示したり、また、地図調査用紙１の電子化データによる画像も一緒に表示したりするなどすることにより、更新位置の特定も正確に行える。
【００４６】
このようにすれば、従来のように、ユーザが地図調査用紙１の手書きの記載を見ながら、更新情報を手入力する必要はなく、ＯＣＲによって読み取られた更新情報をそのまま用いることができる。したがって、ユーザの手間を軽減することができると共に、入力間違えを少なくすることができるなどの顕著な効果が得られる。
【００４７】
［地図調査更新登録方法のまとめ］
次に、図１〜図５を用いて説明した地図調査更新登録方法について、図６のフローチャートを参照しながらまとめる。図６は、この実施の形態の地図調査更新登録方法の全体の流れを説明するためのフローチャートである。
【００４８】
この実施の形態の地図調査更新登録方法は、図６に示すように、まず、図２、図３を用いて説明した必要事項、格子及び当該格子の各行、各列の識別情報を印刷した地図調査用紙（別調査用紙を含む）１を作成し、調査員に配布する（ステップＳ１０１）。このステップＳ１０１の処理は、地図調査の事前準備である。そして、配布された地図調査用紙１を用いて、調査員が調査地に赴き、現地調査を行い、図２、図３を用いて説明したように、地図調査用紙１に対して更新情報を手書きで記載していく（ステップＳ１０２）。すなわち、ステップＳ１０２の処理は、地図調査用紙１に記載された格子の各行、各列の識別情報と、新規、変更、削除を示す識別情報と、「」（かぎ括弧）とを用いて、更新場所、更新内容が分かるように、更新情報を地図調査用紙１に手書きで記入していく処理である。このステップＳ１０２の処理は、調査員によって行われる地図調査処理である。
【００４９】
そして、地図調査終了後、調査員は地図調査用紙１を持ち帰り、ステップＳ１０３以降の地図調査情報処理装置２、３を用いた電子化処理を行う。このステップＳ１０３以降の処理は、調査員が行ってもよいし、別の人が行ってもよい。この場合、まず、ユーザは、パーソナルコンピュータ３においてスキャンソフトを実行する。そして、パーソナルコンピュータ３を通じてスキャナ２を制御し、当該スキャナ２を通じて地図調査に用いられた地図調査用紙１をスキャンし、地図調査用紙１の電子化データを記録装置３１２に保存する（ステップＳ１０３）。次に、ユーザは、パーソナルコンピュータ３において、ＯＣＲソフトを実行する。そして、パーソナルコンピュータ３で実行されるＯＣＲソフトが、既に取り込まれている地図調査用紙１の電子化データから必要情報と手書きで記載された情報を読み取り、これを更新情報として記録装置３１２に保存する（ステップＳ１０４）。
【００５０】
そして、ユーザは、パーソナルコンピュータ３を用いて、ＯＣＲで読み取って保存した更新情報の修正を行う（ステップＳ１０５）。このステップＳ１０５では、ユーザからの指示に応じて、パーソナルコンピュータ本体３１の制御部３１１が表示処理部３１５を制御し、印刷に用いられた地図調査用紙１の電子化データに応じた画像と、当該電子化データに対応する地域の更新情報をディスプレイ３２に表示する。そして、ユーザが表示された両画像と更新情報が書き込まれた地図調査用紙１を比較検証し、ＯＣＲソフトによって読み取られた更新情報に間違いがあれば修正を行う。これにより更新情報の正確性が確保される。
【００５１】
このようにして、地図調査を行って得た更新情報を電子化して把握し、その正確性をも十分に担保することができる。そして、正確性が保証された更新情報を、地図原本の修正に利用することができる。
【００５２】
［実施の形態の効果］
上述したように、地図調査用紙１に対して手書きで記載された更新情報を、ＯＣＲで読み取り、これを修正して正確性を確保した後に、地図原本の更新に利用することができる。すなわち、従来、地図原本の更新は、地図調査用紙に書き込まれた更新用の記載に基づいて、直接電子化の為の更新入力を行っていたのに対して、上述した実施の形態の場合には、更新情報を電子化して、これを利用して地図原本に対する更新処理に利用することができる。したがって、地図原本に対する更新処理の負荷を軽減し、かつ、更新処理の正確性、信頼性を向上させることができる。
【００５３】
［変形例］
なお、地図調査用紙１に手書きで記載する情報や手押し印と元地図（地図調査用紙１に記載された地図部分）との判別を確実に行うために、地図調査用紙１の地図部分を磁気インクによって印刷してもよい。また、地図調査用紙１において、格子（グリッド）と地図上の道路や建物線を区別することを正確に行うために、地図調査用紙１に印刷する格子を磁気インクで印刷してもよい。図７は、磁気インクを用いて作成する地図調査用紙１の変形例について説明するための図である。
【００５４】
図７Ａは、点線で示した地図部分を、磁気インクを用いて印刷した地図調査用紙１の例を示している。磁気インクは、磁性をもつ特殊なインクであり、磁気インクの読み取り装置によって読み取り可能なものである。通常、磁気インクはＣ（シアン）、Ｍ（マゼンタ）、Ｙ（イエロー）、Ｋ（ブラック）以外の特色として印刷され、ユーザの目に見えないものである。しかし、視認性はあるが、スキャナで読み取らない設定にした色と合わせて印刷して用いれば、ＯＣＲソフトを用いた手書き文字等の認識時において、調査用紙の記載と錯綜することを防止し、手書きで記載する情報や手押し印と地図部分との判別を確実に行うことができる。
【００５５】
例えば、図７Ａにおいて点線で示した地図部分を磁気インクで印刷した地図調査用紙を用いる場合であって、ブロック番号が「Ｃ５」で示されるブロック部分に変更が生じていたとする。この場合には、ブロック番号が「Ｃ５」で示されるブロックに、「黒四角印」、「Ｃ５」、「鈴木」と更新情報を記載しても、地図自体を磁気インクで印刷することで、更新情報のＯＣＲ認識の際に読み飛ばしが可能となる。また、地図自体を磁気インク読み取り装置を用いて読み取ることにより、地図調査用紙の印刷時のズレや温湿度によるゆがみの補正値を地図調査用紙の電子化データに応じた画像との比較で取得できる。
【００５６】
なお、磁気インクに替えて、Ｃ（シアン）、Ｍ（マゼンタ）、Ｙ（イエロー）、Ｋ（ブラック）以外の金色、銀色、その他のスキャナで読み取らない設定にした色によって地図部分を印刷してもよい。このようにした場合にも、上述した地図部分を磁気インクで印刷した場合と同様の効果を得ることができる。
【００５７】
また、図７Ｂは、磁気インクで地図そのものを印刷するのではなく、点線で示した格子を、磁気インクを用いて印刷した地図調査用紙１の例を示している。この場合、図７Ｂに示すように、格子と地図上の道路や建物線とを明確に区別することができる。したがって、変更が見つかった地図上の場所（ブロック）に対して、更新情報を適切に記載することができる。また、印刷会社に依頼し、図７Ｂに示したように、格子と各ブロックのブロック番号（図７Ｂにおいて、その一例として、Ａ１、Ａ２、…、Ｂ１、Ｂ２、…と記載したもの）とを磁気インクで印刷した用紙を大量に作成しておき、その用紙を使って地図調査用紙を印刷してもよい。
【００５８】
また、図６に示したフローチャートの処理において、ステップＳ１０３、ステップＳ１０４の処理を地図の調査部門において行い、ＯＣＲで読み取った更新情報等を地図の制作部門に送付して、ステップＳ１０５の処理は、地図の制作部門で行ってもよい。もちろん、ステップＳ１０３〜ステップＳ１０５までの処理を調査部門で行い、校正した更新情報を地図の制作部門に送付し、地図の更新処理を制作部門で行ってもよい。すなわち、図６に示したステップＳ１０３〜ステップＳ１０５の処理は、それぞれのステップの処理を異なる場所で異なるユーザが分業で行うことができる。
【００５９】
なお、ＯＣＲで読み取った更新情報等の制作部門への送付は、クラウドサーバへのアップロード、電子メール、ＦＴＰ（File Transfer Protocol）を用いたネットワーク転送などを利用することができる。もちろん、ＯＣＲで読み取った更新情報等を記録媒体に記憶して郵送するなどの方法を用いることも可能である。すなわち、データの送付方法は上述したものに限られるものではなく、種々の方法を用いることが可能である。
【００６０】
また、上述もしたように、地図調査用紙の形式を建物名、ブロック番号でリンクされた地図が記載された調査用紙と別ページとなる別調査用紙で統一する運用とすると、調査員毎に更新情報の記載が異なるものとなることを防止し、調査や処理の効率がアップする。
【００６１】
［その他］
なお、上述した実施の形態からも明らかなように、図１〜図７を用いて説明した方法が、この発明の地図調査情報更新登録方法に対応するものである。また、図６に示したステップＳ１０３〜ステップＳ１０５までの処理が、地図調査情報処理装置を構成するパーソナルコンピュータ本体３１の制御部３１１において実行される地図調査情報処理プログラムに相当する。
【符号の説明】
【００６２】
１…地図調査用紙、２…スキャナ、３…パーソナルコンピュータ、３１…パーソナルコンピュータ本体、３１１…制御部、３１２…記録装置、３１３…入力装置Ｉ／Ｆ、３１４…外部Ｉ／Ｆ、３１５…表示処理部、３１６…ディスプレイＩ／Ｆ、３２…ディスプレイ、３３…キーボード、３４…マウス
【図１】
0005781950.tif 000002
【図２】
0005781950.tif 000003
【図３】
0005781950.tif 000004
【図４】
0005781950.tif 000005
【図５】
0005781950.tif 000006
【図６】
0005781950.tif 000007
【図７】
0005781950.tif 000008